(57)【要約】【課題】車体側部に車両側方から所定値以上の荷重が入力された場合における車体上部の変形量と補強重量との最適化を図ることができる車体上部構造を得る。【解決手段】左右一対のルーフサイドレール１２の間には車両幅方向に沿ってルーフクロスメンバ１８が配設されている。ルーフクロスメンバ１８とルーフサイドレール１２とはブレース３２を介して結合されており、当該結合部位近傍にはビード４２が形成されている。またブレース３２にも剛性チューニング用のビードが形成されており、更にピラーリインフォース２８の上端部２８Ａは上方へ延長されている。また、強度バランスはルーフクロスメンバ１８＜ブレース３２＜ピラーリインフォース２８の順に設定されている。従って、センタピラー２２の上部が先に折れることはなく、ルーフクロスメンバ１８のビード４２から屈曲するので曲げモーメントを低減できる。【選択図】        図１
2006193037.tif 000002
【特許請求の範囲】
【請求項１】
ルーフの両サイドに車両前後方向に沿って配置される左右一対のルーフサイドレールと、これらのルーフサイドレール間に車両幅方向に沿って配置されるルーフクロスメンバと、このルーフクロスメンバの長手方向の端部とルーフサイドレールとを結合するブレースと、を含んで構成された車体上部構造であって、
前記ルーフクロスメンバには、ブレースとの結合位置よりも車両幅方向内側となるブレース近傍位置に、車体側部に車両側方から所定値以上の荷重が入力された場合にルーフクロスメンバの長手方向の端部を車両下方内側へ屈曲させる変形促進手段が設けられている、
ことを特徴とする車体上部構造。
【請求項２】
前記ブレースは車両正面視で略鉤状に形成されており、かつ内側部がルーフクロスメンバの長手方向の端部に結合されると共に外側部がルーフサイドレールに結合され、
さらに、前記変形促進手段は、車体側部に車両側方から所定値以上の荷重が入力された場合に、当該ブレースの開き方向への変形荷重よりも低い荷重で変形するように強度設定がなされている、
ことを特徴とする請求項１記載の車体上部構造。
【請求項３】
車体側部に車両上下方向に沿って配置されるピラー内に配設されるピラーリインフォースの上端部はルーフサイドレール付近まで車両上方側へ延長されており、
さらに、前記ブレースは、当該ピラーリインフォースの変形荷重よりも低い荷重で開き方向へ変形するように強度設定がなされている、
ことを特徴とする請求項２記載の車体上部構造。
【請求項４】
前記ブレースの外側部には、ブレース上下方向に沿って延在する補強手段が設定されており、
当該補強手段の補強度合いをブレース上下方向で変化させた、
ことを特徴とする請求項２又は請求項３記載の車体上部構造。
【発明の詳細な説明】
【技術分野】
【０００１】
本発明は、車両前後方向に沿って延在する左右一対のルーフサイドレール間に車両幅方向に沿ってルーフクロスメンバが配置され、両者がブレースで結合される車体上部構造に関する。
【背景技術】
【０００２】
下記特許文献１には、車体側部に車両側方から所定値以上の荷重が入力された場合に車体側方からの荷重を確実に分散させるための技術が開示されている。
【０００３】
簡単に説明すると、センタピラーのピラーインナパネルの上端部付近にサイドレールインナパネルを収めるための凹部を形成し、この凹部にサイドレールインナパネルを上方側から密着させた後、ピラーリインフォースを被せることにより、ピラーインナパネル、サイドレールインナパネル及びピラーリインフォースによる閉断面部を形成する。この閉断面部は、ピラーインナパネルとピラーリインフォースとによってセンタピラーに沿って形成される閉断面部と連続することとなる。そして更に、左右のセンタピラーの上端部間に掛け渡されるブレース（ルーフクロスメンバ）とルーフパネルとで閉断面部が形成され、センタピラーの上端部に形成された左右の閉断面部とブレースとルーフパネルとで形成される閉断面部とを連続させる。これにより、ほぼ環状の閉断面部が車体上部を覆うことになるため、車体側部に車両側方から所定値以上の荷重が入力された場合にも入力荷重が確実に分散されるというものである。
【特許文献１】特開２０００−１０８９２９号公報
【発明の開示】
【発明が解決しようとする課題】
【０００４】
しかしながら、上記先行技術による場合、車体側部に車両側方から所定値以上の荷重が入力された場合に車体上部に入力された荷重によって環状構造が変形しないようにするためには、ルーフクロスメンバの剛性を板厚を厚くする等してかなり高める必要がある。従って、車両重量の増加及びコストアップを招く不利がある。
【０００５】
本発明は上記事実を考慮し、車体側部に車両側方から所定値以上の荷重が入力された場合における車体上部の変形量と補強重量との最適化を図ることができる車体上部構造を得ることが目的である。
【課題を解決するための手段】
【０００６】
請求項１記載の本発明に係る車体上部構造は、ルーフの両サイドに車両前後方向に沿って配置される左右一対のルーフサイドレールと、これらのルーフサイドレール間に車両幅方向に沿って配置されるルーフクロスメンバと、このルーフクロスメンバの長手方向の端部とルーフサイドレールとを結合するブレースと、を含んで構成された車体上部構造であって、前記ルーフクロスメンバには、ブレースとの結合位置よりも車両幅方向内側となるブレース近傍位置に、車体側部に車両側方から所定値以上の荷重が入力された場合にルーフクロスメンバの長手方向の端部を車両下方内側へ屈曲させる変形促進手段が設けられている、ことを特徴としている。
【０００７】
請求項２記載の本発明に係る車体上部構造は、請求項１記載の発明において、前記ブレースは車両正面視で略鉤状に形成されており、かつ内側部がルーフクロスメンバの長手方向の端部に結合されると共に外側部がルーフサイドレールに結合され、さらに、前記変形促進手段は、車体側部に車両側方から所定値以上の荷重が入力された場合に、当該ブレースの開き方向への変形荷重よりも低い荷重で変形するように強度設定がなされている、ことを特徴としている。
【０００８】
請求項３記載の本発明に係る車体上部構造は、請求項２記載の発明において、車体側部に車両上下方向に沿って配置されるピラー内に配設されるピラーリインフォースの上端部はルーフサイドレール付近まで車両上方側へ延長されており、前記ピラー内に配設されるピラーリインフォースの上端部をルーフサイドレール付近まで車両上方側へ延長させ、さらに、前記ブレースは、当該ピラーリインフォースの変形荷重よりも低い荷重で開き方向へ変形するように強度設定がなされている、ことを特徴としている。
【０００９】
請求項４記載の本発明に係る車体上部構造は、請求項２又は請求項３記載の発明において、前記ブレースの外側部には、ブレース上下方向に沿って延在する補強手段が設定されており、当該補強手段の補強度合いをブレース上下方向で変化させた、ことを特徴としている。
【００１０】
請求項１記載の本発明によれば、車体上部には、ルーフの両サイドに左右一対のルーフサイドレールが車両前後方向に沿って配置されていると共に、これらのルーフサイドレール間にルーフクロスメンバが車両幅方向に沿って配置されている。そして、ルーフクロスメンバの長手方向の端部とルーフサイドレールとがブレースを介して結合されている。従って、車体側部に車両側方から所定値以上の荷重が入力された場合、その荷重はルーフサイドレールからブレースを介してルーフクロスメンバに伝達される。
【００１１】
ここで、本発明では、ルーフクロスメンバの所定位置（即ち、ブレースとの結合位置よりも車両幅方向内側となるブレース近傍位置）に変形促進手段を設けたので、前記荷重がルーフクロスメンバに伝達されると、ルーフクロスメンバの長手方向の端部が車両下方内側へ屈曲される。すなわち、ルーフクロスメンバの長手方向の端部が折れる。このため、端部が折れた後は、ルーフクロスメンバに加わる曲げモーメントのモーメントアーム長を短くすることができる。従って、ルーフクロスメンバの剛性を高めなくても（即ち、ルーフクロスメンバに特別な補強を施さなくても）、ルーフクロスメンバがその長手方向の中間部付近で車両上方側へ変形するのを防止することができる。
【００１２】
請求項２記載の本発明によれば、ブレースを車両正面視で略鉤状に形成し、かつ内側部をルーフクロスメンバの長手方向の端部に結合すると共に外側部をルーフサイドレールに結合した上で、ブレースの開き方向への変形荷重よりも低い荷重で変形促進手段が変形するように強度設定したので、車体側部に車両側方から所定値以上の荷重が入力された場合には、荷重入力初期にはブレースは荷重をルーフクロスメンバに伝達するだけで変形することはなく、変形促進手段が先行して変形する。
【００１３】
すなわち、本発明では、強度バランスを「変形促進手段＜ブレース」に設定することにより、上述した請求項１記載の発明のルーフクロスメンバの長手方向の端部の折れを確実に行わせることができる。
【００１４】
請求項３記載の本発明によれば、車体側部に車両上下方向に沿って配置されるピラー内に配設されるピラーリインフォースの上端部はルーフサイドレール付近まで車両上方側へ延長されており、更に当該ピラーリインフォースの変形荷重よりも低い荷重でブレースが開き方向へ変形するように強度設定したので、車体側部に車両側方から所定値以上の荷重が入力された場合には、荷重入力初期にはピラーは荷重をルーフサイドレール更にはブレースへ伝達するだけで変形することはなく、最初に変形促進手段が変形し、続いてブレースが開き方向へ変形する。
【００１５】
すなわち、本発明では、強度バランスを「変形促進手段＜ブレース＜ピラーリインフォース」に設定することにより、上述した請求項１記載の発明のルーフクロスメンバの長手方向の端部の折れを確実に行わせることができる。
【００１６】
つまり、仮にピラーリインフォースの上端部がルーフサイドレールの配設位置よりもかなり下側に配置されている場合には、ピラーリインフォースによる補強効果が得られなくなった位置（ピラーリインフォースの上端部の位置）にてピラーが車両幅方向内側へ変形し（折れ）ようとする。その場合、そのピラーの変形点（折れ点）を通る車両幅方向に沿った線分（後述する実施形態における図５の一点鎖線Ｐ）からルーフクロスメンバまでの距離がルーフクロスメンバに作用する曲げモーメントのモーメントアーム長になり、長くなる。従って、初期荷重でピラーが上部で折れるのを回避するように強度バランスを設定することにより、上述した請求項１記載の発明のルーフクロスメンバの長手方向の端部の折れを確実に行わせることができる。
【００１７】
請求項４記載の本発明によれば、ブレースの外側部にブレース上下方向に沿って延在する補強手段を設定し、補強手段の補強度合いをブレース上下方向で変化させたので、補強度合いの変化に応じてブレースの開き方向への変形が進行する。
【発明の効果】
【００１８】
以上説明したように、請求項１記載の車体上部構造は、ルーフの両サイドに車両前後方向に沿って配置される左右一対のルーフサイドレールと、これらのルーフサイドレール間に車両幅方向に沿って配置されるルーフクロスメンバと、このルーフクロスメンバの長手方向の端部とルーフサイドレールとを結合するブレースと、を含んで構成された車体上部構造において、ルーフクロスメンバの所定位置（即ち、ブレースとの結合位置よりも車両幅方向内側となるブレース近傍位置）に、車体側部に車両側方から所定値以上の荷重が入力された場合にルーフクロスメンバの長手方向の端部を車両下方内側へ屈曲させる変形促進手段を設けたので、ルーフクロスメンバに加わる曲げモーメントのモーメントアーム長を短くすることができ、その結果、車体側部に車両側方から所定値以上の荷重が入力された場合における車体上部の変形量と補強重量との最適化を図ることができるという優れた効果を有する。
【００１９】
請求項２記載の本発明に係る車体上部構造は、請求項１記載の発明において、ブレースを車両正面視で略鉤状に形成し、かつ内側部をルーフクロスメンバの長手方向の端部に結合すると共に外側部をルーフサイドレールに結合した上で、車体側部に車両側方から所定値以上の荷重が入力された場合に、当該ブレースの開き方向への変形荷重よりも低い荷重で変形するように変形促進手段の強度設定をしたので、強度バランスが「変形促進手段＜ブレース」となり、その結果、車体側部に車両側方から所定値以上の荷重が入力された場合にルーフクロスメンバの長手方向の端部の折れを確実に行わせることができるという優れた効果を有する。
【００２０】
請求項３記載の本発明に係る車体上部構造は、請求項２記載の発明において、車体側部に車両上下方向に沿って配置されるピラー内に配設されるピラーリインフォースの上端部はルーフサイドレール付近まで車両上方側へ延長されており、更に当該ピラーリインフォースの変形荷重よりも低い荷重でブレースが開き方向へ変形するように強度設定したので、強度バランスが「変形促進手段＜ブレース＜ピラーリインフォース」となり、その結果、車体側部に車両側方から所定値以上の荷重が入力された場合にルーフクロスメンバの長手方向の端部の折れをより一層確実に行わせることができるという優れた効果を有する。
【００２１】
請求項４記載の本発明に係る車体上部構造は、請求項２又は請求項３記載の発明において、ブレースの外側部にブレース上下方向に沿って延在する補強手段を設定し、補強手段の補強度合いをブレース上下方向で変化させたので、ブレースの開き方向への変形荷重のチューニングを容易に行うことができるという優れた効果を有する。
【発明を実施するための最良の形態】
【００２２】
以下、図１〜図５を用いて、本発明に係る車体上部構造の一実施形態について説明する。なお、これらの図において適宜示される矢印ＦＲは車両前方側を示しており、矢印ＵＰは車両上方側を示しており、矢印ＩＮは車両幅方向内側を示している。
【００２３】
図１には、本実施形態に係る車体上部構造の全体構成が車両正面視で示されている。この図に示されるように、車体上部に配置されるルーフパネル１０の両サイドには、車両前後方向に沿って左右一対のルーフサイドレール１２が配設されている。ルーフサイドレール１２は、ルーフサイドレールアウタパネル１４とルーフサイドレールインナパネル１６とを含んで閉断面構造に形成されている。
【００２４】
また、ルーフパネル１０の車室内側の面には、車両幅方向に沿って長尺状のルーフクロスメンバ１８が配設されている。ルーフクロスメンバ１８は、左右一対のルーフサイドレール１２間に配置されている。
【００２５】
さらに、車体側部２０の所定位置には、車両上下方向に沿ってセンタピラー２２が配設されている。センタピラー２２は、車室内側に配置されるピラーインナパネル２４と、車室外側に配置されるピラーアウタパネル２６と、両者の間に配置されるピラーリインフォース２８と、によって閉断面構造に構成されている。なお、ピラーインナパネル２４の上端部は、ルーフサイドレール１２の下側フランジ部１２Ａに結合されている。また、ピラーアウタパネル２６の上端部は、ルーフサイドレールアウタパネル１４の外側面に結合されている。さらに、ルーフサイドレール１２の上側フランジ部１２Ｂにはルーフパネル１０の車両幅方向の端部及び車体側部２０を構成するサイメンアウタ３０の上端部が結合されている。
【００２６】
位置関係について補足すると、車両平面視で見た場合、センタピラー２２とルーフクロスメンバ１８とは車両幅方向に同一直線上に配置されている訳ではなく、車両前後方向に若干ずれて配置されているが、車両幅方向に同一直線上に配置されていれば、車体側部２０に車両側方から所定値以上の荷重が入力された場合の荷重伝達性がより向上されるので好ましい。
【００２７】
上記ルーフクロスメンバ１８の長手方向の端部１８Ａとルーフサイドレール１２とは、ブレース（ルーフサイドブラケット）３２によって結合されている。図３に示されるように、ブレース３２は、車両正面視で略鉤状に形成されており、ルーフクロスメンバ１８の下面に当接状態で配置される内側部３２Ａと、ルーフサイドレールインナパネル１６の車室内側の面に当接状態で配置される外側部３２Ｂとから成る。ブレース３２の内側部３２Ａ及び外側部３２Ｂには、ボルト挿通孔３４、３６がそれぞれ形成されており、ルーフクロスメンバ１８及びルーフサイドレールインナパネル１６にボルト接合されるようになっている。なお、ボルト締結線を一点鎖線で示す。
【００２８】
ここで、上述したルーフクロスメンバ１８には、ブレース３２との結合位置よりも車両幅方向内側となるブレース近傍位置に、断面形状が等脚台形状とされた変形促進手段としてのビード４２が形成されている。ビード４２は、ルーフクロスメンバ１８の底壁部１８Ｂの全幅に亘って凹溝状に形成されている。このビード４２を設定したことにより、ルーフクロスメンバ１８はビード４２の形成位置にて低剛性化されている。
【００２９】
また、図３に示されるように、ブレース３２の外側部３２Ｂの中央部には、ブレース上下方向に沿って凸部状の補強手段としてのビード４４が一体に形成されている。ビード４４の高さは上部４４Ａと下部４４Ｂとで異なっており、下部４４Ｂの方が上部４４Ａよりも高く設定されている。従って、ビード４４の下部４４Ｂの方が上部４４Ａよりも強度が高い。
【００３０】
さらに、図１に示されるように、前述したセンタピラー２２のピラーリインフォース２８の上端部２８Ａは、ルーフサイドレール１２の下側フランジ部１２Ａ付近まで車両上方側へ延長されている。なお、本実施形態では、ピラーリインフォース２８の上端部２８Ａがルーフサイドレール１２の下側フランジ部１２Ａと車両上下方向にオーバーラップする程度にまで延長されているが、必ずしも車両上下方向にオーバーラップしていなくてもよい。
【００３１】
また、本実施形態では、車体側部２０に車両側方から所定値以上の荷重Ｆ（図２参照）が入力された場合の強度バランスが、「ビード４２の形成位置でのルーフクロスメンバ１８の変形（曲げ）強度＜ブレース３２の変形（曲げ）強度＜ピラーリインフォース２８の変形（曲げ）強度」となるように設定されている。
【００３２】
（本実施形態の作用並びに効果）
次に、本実施形態の作用並びに効果について説明する。
【００３３】
図１に示される状態が、車体側部２０に車両側方から荷重が入力される前の状態（変形前の状態）である。この状態から、図２に示されるように、車体側部２０に車両側方から所定値以上の荷重Ｆが入力されると、当該荷重Ｆはセンタピラー２２からルーフサイドレール１２へ伝達され、ルーフサイドレール１２からブレース３２を介してルーフクロスメンバ１８に伝達される。
【００３４】
ここで、本実施形態に係る車体上部構造では、（１）ルーフクロスメンバ１８の所定位置（即ち、ブレース３２との結合位置よりも車両幅方向内側となるブレース近傍位置）にビード４２を設けると共に、（２）ルーフクロスメンバ１８とルーフサイドレール１２とを結合するブレース３２の外側部３２Ｂにもブレース上下方向へ延在するビード４４を形成し、（３）更にセンタピラー２２のピラーリインフォース２８の上端部２８Ａをルーフサイドレール１２の下側フランジ部１２Ａ付近まで延長させ、（４）「ルーフクロスメンバ１８のビード形成部位での変形（曲げ）強度＜ブレース３２の変形（曲げ）強度＜ピラーリインフォース２８の上端部２８Ａ付近のセンタピラー上部の変形（曲げ）強度」となるように各部の強度バランスを設定（チューニング）したので、車体側部２０に車両側方から所定値以上の荷重Ｆが入力された場合の変形モードが以下のようになる。
【００３５】
すなわち、車体側部２０に車両側方から所定値以上の荷重Ｆが入力されると、荷重Ｆの入力初期にはセンタピラー２２の上部は荷重Ｆをルーフサイドレール１２更にはブレース３２へ伝達するだけで変形することはなく、最も強度が低いビード４２から変形する。つまり、初期荷重を逃がすことなく、ダイレクトにビード４２に伝達される。これにより、ルーフクロスメンバ１８の長手方向の端部１８Ａがビード４２を起点として車両下方内側へ塑性変形し（折れて）、続いてブレース３２がビード４４の高さに変化をつけたことに起因して車両正面視で直線状になるように、つまり開き方向へ塑性変形する。
【００３６】
このようにルーフクロスメンバ１８に形成されるビード４２の溝深さや溝幅、ブレース３２に形成されるビード４２の高さ、センタピラー２２のピラーリインフォース２８の上端部２８Ａの位置をそれぞれチューニングして、各部の強度バランスを前記（４）となるように設定することにより、部材の折れ位置（変形モード）を任意にコントロールすることができる。その結果、本実施形態に係る車体上部構造を用いた場合、モーメントアーム長Ｌ１を短くすることができ、ルーフクロスメンバ１８に加わる曲げモーメントＭ１を低減することができる。従って、ルーフクロスメンバ１８を特別に補強する必要はなく、軽量化を図ることができる。すなわち、本実施形態によれば、車体側部に車両側方から所定値以上の荷重が入力された場合における車体上部の変形量と補強重量との最適化を図ることができる。
【００３７】
図４には、比較例としての車体上部構造が示されている。この比較例では、ルーフクロスメンバ４６に変形促進手段としてのビードは形成されていない。また、ブレース４８にも補強手段としてのビードは形成されていない。さらに、センタピラー５０のピラーリインフォース５２の上端部５２Ａも、本実施形態のようには車両上方側へ延長されていない。また、前記ルーフクロスメンバ４６は車体側部２０への車両側方からの荷重入力時にセンタピラー５０の上部を車室内側へ侵入させないようにするため、断面形状が大きく、板厚も厚く、材質も硬いものとなっており、強固な補強がなされている。
【００３８】
上記比較例の場合、図５に示されるように、車体側部２０に車両側方から所定値以上の荷重Ｆが入力されると、ピラーリインフォース５２の上端部５２Ａがルーフサイドレール１２側へ延長されていないがために、センタピラー５０がピラーリインフォース５２の上端部５２Ａの途切れた位置にて変形する（折れる）。このため、センタピラー５０の変形点（折れ点）を通る車両幅方向に沿った線分（一点鎖線Ｐ）からルーフクロスメンバ４６までの距離がルーフクロスメンバ４６に作用する曲げモーメントのモーメントアーム長Ｌ２と長くなり、ルーフクロスメンバ４６の長手方向の中間部付近に車両上方側へ凸となる比較的大きな曲げモーメントＭ２が発生する。
【００３９】
これに対し、本実施形態に係る車体上部構造では、上記の構成を採ることにより、モーメントアーム長がＬ１と非常に短くなり、ルーフクロスメンバ１８の長手方向の中間部付近に作用する曲げモーメントＭ１もかなり低減される。しかも、本実施形態によれば、前記比較例のような強固な補強は不要となるため、軽量化を図ることができる。ちなみに、本実施形態と上記比較例とを比較した場合、ルーフクロスメンバ１８の板厚を０．４ｍｍ薄くすることができる。
【００４０】
また、上記強度バランスを適切にチューニングすることにより、車体側部２０へ車両側方から所定値以上の荷重Ｆが作用した場合にも、車体の変形を抑制することができる。
【００４１】
〔本実施形態の補足説明〕
なお、上述した本実施形態では、ルーフクロスメンバ１６にビード４２を形成したが、これに限らず、設定した部位の剛性を低下させることができる構成であればすべて適用可能である。
【００４２】
また、上述した本実施形態では、ブレース３２のビード４４の高さを上部４４Ａと下部４４Ｂとで変化させる構成を採ったが、これに限らず、ビードの幅を上部４４Ａ側で狭く、下部４４Ｂ側で広くする（ビードの板厚を変化させる）構成を採ってもよい。
【図面の簡単な説明】
【００４３】
【図１】本実施形態に係る車体上部構造の全体構成を示す縦断面図である。
【図２】図１に示される車体上部構造が採用された車両の側部に側方からの高荷重が作用して変形した状態を示す図１に対応する縦断面図である。
【図３】図１に示されるブレースの斜視図である。
【図４】対比例に係る車体上部構造の全体構成を示す縦断面図である。
【図５】図４に示される車体上部構造が採用された車両の側部に側方からの高荷重が作用して変形した状態を示す図４に対応する縦断面図である。
【符号の説明】
【００４４】
１０      ルーフパネル
１２      ルーフサイドレール
１８      ルーフクロスメンバ
１８Ａ      長手方向の端部
２０      車体側部
２２      センタピラー
２８      ピラーリインフォース
２８Ａ      上端部
３２      ブレース
３２Ａ      内側部
３２Ｂ      外側部
４２      ビード（変形促進手段）
４４      ビード（補強手段）
【図１】
2006193037.tif 000003
【図２】
2006193037.tif 000004
【図３】
2006193037.tif 000005
【図４】
2006193037.tif 000006
【図５】
2006193037.tif 000007